(57)【特許請求の範囲】
【請求項１】
真空掃除機のフィルター装着装置であって、
フィルターを受け入れるように側壁と開放された上部とを含んで構成された真空掃除機のケーシングと、
前記ケーシングの開放された上部を覆うように構成されて、前記ケーシングの上部に設置されるカバーと、
前記カバーに設置され、前記ケーシングに前記フィルターが設置されていない場合には前記カバーが前記ケーシング上に設置されるのを妨げ、前記フィルターが前記ケーシングに設置されている場合には前記カバーが前記ケーシング上に設置可能となるように構成された移動部材と、を具備し、
前記カバーは、
前記ケーシングの開放された上部の形状に一致する平面と、
前記平面の周囲から該平面に対して所定角度で延びる側縁とを備え、
前記カバーが前記ケーシング上に設置されている時前記ケーシングの側縁に前記カバーの側縁が当接するように構成されている、
真空掃除機のフィルター装着装置。
【請求項２】
前記移動部材は、確認片を有し、前記フィルターが前記ケーシング内に設置されていない時は前記確認片は阻止位置に配置され、前記確認片が前記阻止位置に存在することによって前記カバーの前記側縁が前記ケーシングの側壁に当接するのが妨げられるように構成された請求項１に記載の真空掃除機のフィルター装着装置。
【請求項３】
前記移動部材は、前記確認片が阻止位置と設置位置との間を移動可能であり、該確認片はフィルターが前記ケーシング内に設置されている時は、前記カバーが前記ケーシング上に設置されるのを可能にする前記設置位置に配置され、フィルターが前記ケーシング内に設置されていない時は、前記カバーが前記ケーシング上に設置されるのを妨げる前記阻止位置に配置されるように構成された請求項１に記載の真空掃除機のフィルター装着装置。
【請求項４】
前記移動部材は、前記確認片を前記阻止位置に向かって付勢する弾性部材を含む請求項３に記載の真空掃除機のフィルター装着装置。
【請求項５】
前記移動部材が前記カバー上に設置される、請求項１に記載の真空掃除機のフィルター装着装置。
【請求項６】
前記カバーは、該カバー上に前記フィルターが設置可能なように構成されるフィルター設置位置を含む、請求項５に記載の真空掃除機のフィルター装着装置。
【請求項７】
前記移動部材は、阻止位置と設置位置との間を移動可能な確認片を含み、該確認片は、フィルターが前記ケーシング内に設置されている時は、前記カバーが前記ケーシング上に設置されるのを可能にする前記設置位置に配置され、フィルターが前記ケーシング内に設置されていない時は、前記カバーが前記ケーシング上に設置されるのを妨げる前記阻止位置に配置されるように構成された請求項６に記載の真空掃除機のフィルター装着装置。
【請求項８】
前記移動部材は、前記確認片を前記阻止位置に向かって付勢する弾性部材をさらに備え、前記フィルターを前記カバー上に設置することにより前記確認片を前記弾性部材の付勢力に反して移動させる請求項７に記載の真空掃除機のフィルター装着装置。
【請求項９】
前記カバーは、
前記ケーシングの開放された上部の形状に一致する平面と、
前記平面の周囲から前記平面に対して所定の角度で延びる側縁とを備え、前記カバーが前記ケーシング上に設置されている時は、前記カバーの側縁が前記ケーシングの側壁に当接するように構成された請求項８に記載の真空掃除機のフィルター装着装置。
【請求項１０】
前記移動部材の確認片が前記阻止位置に位置している時、前記確認片は、前記カバーの前記側縁が前記ケーシングの側壁に当接するのを妨げるように構成された請求項９に記載の真空掃除機のフィルター装着装置。
【請求項１１】
前記カバーは、
フィルターが前記カバー上に回動可能に設置されるのを可能にする支持部を含む、請求項１記載の真空掃除機のフィルター装着装置。
【請求項１２】
前記移動部材は、フィルターが前記カバー上に設置されていない時、阻止位置に配置される確認片を含み、フィルターを前記支持部上に回動可能に設置することにより、前記確認片は、前記ケーシングに前記カバーが設置されるのを可能にする位置に移動させられるように構成された請求項１１に記載の真空掃除機のフィルター装着装置。
【請求項１３】
前記移動部材は、前記確認片を前記阻止位置に向かって付勢する弾性部材をさらに具備した請求項１２に記載の真空掃除機のフィルター装着装置。
【請求項１４】
前記移動部材は、フィルター上の放射状に延びた突出部と相互作用するように構成される係合部を含み、該係合部はフィルターが前記カバー上に回動可能に設置されている時、前記フィルター上の前記放射状に延びた突出部が、前記確認片が前記設置位置に配置されるのを可能にするような前記移動部材の移動を可能にするよう配置される、請求項１２に記載の真空掃除機のフィルター装着装置。
【請求項１５】
前記カバー上の前記支持台は、フィルターが前記支持台上で所定の点を通り越して回動するのを阻止するように構成された回動防止突出部を含む、請求項１１に記載の真空掃除機のフィルター装着装置。
【請求項１６】
真空掃除機であって、
加圧された塵埃を含む空気を受け入れる吸気ポートと、前記空気を濾過した後前記空気を前記本体から大気に排出する排気ポートとの両方を有する本体と、
前記本体内に提供され、前記塵埃を含む空気を前記本体内に吸引する吸引力を発生する吸引ユニットと、
前記吸気ポートを通じて前記本体内に導入される前記塵埃を含む空気からサイクロン方式により不純物を収塵し、ひいてはそれを前記空気から除去する収塵ケースであって、前記集塵手段が前記本体内に取り外し可能に装着される集塵ケースと、
前記集塵ケース内に設置可能であり前記吸気ポート及び前記排気ポートと流通するフィルター部材と、
前記フィルター部材が前記集塵ケース内に設置されているか否かに応じて前記集塵ケースの前記本体への装着を制御する移動部材と、
前記ケーシングの開放された上部を覆うように構成されて、前記ケーシングの上部に設置されるカバーと、を具備し、
前記カバーは、
前記ケーシングの開放された上部の形状に一致する平面と、
前記平面の周囲から該平面に対して所定角度で延びる側縁とを備え、
前記カバーが前記ケーシング上に設置されている時前記ケーシングの側縁に前記カバーの側縁が当接するように構成されている、
真空掃除機。
【請求項１７】
真空掃除機であって、
本体と、
前記本体に取り外し式に装着される開放可能なサイクロン集塵ケーシングと、
前記集塵ケーシング内に空気のサイクロンを形成する一方で、加圧された塵埃を含む空気を前記集塵ケーシング内に導入するように、前記集塵ケーシング側壁上に形成される吸気ポートと、
前記空気が前記集塵ケーシングから大気に排出するように前記集塵ケーシングの上端部に提供される排気ポートと、
前記空気が前記集塵ケーシングから大気に前記排気ポートを通じて排出される前に前記空気を濾過するため、前記集塵ケーシングに設置可能な集塵フィルターと、
前記集塵ケーシング中の移動部材と、
前記ケーシングの開放された上部を覆うように構成されて、前記ケーシングの上部に設置されるカバーと、を具備し、
前記移動部材は、前記集塵フィルターが前記集塵ケーシング内に設置されていない場合、前記集塵ケーシングが前記本体に装着されるのを妨げるように構成され、
前記カバーは、
前記ケーシングの開放された上部の形状に一致する平面と、
前記平面の周囲から該平面に対して所定角度で延びる側縁とを備え、
前記カバーが前記ケーシング上に設置されている時前記ケーシングの側縁に前記カバーの側縁が当接するように構成されている、
真空掃除機。
【請求項１８】
真空掃除機であって、
本体の端部に接続される吸引ホースを通じて塵埃を含む空気を受け入れる吸気ポートと前記空気を濾過した後前記空気を本体から排出する排気ポートを含む本体と、
前記空気の前記本体への導入とそれからの排出とを可能にする駆動力を提供するため、前記本体内の所定部分に装着される吸引ユニットと、
前記本体の外側から直接前記本体に取り外し可能に装着されるサイクロン集塵手段と、
前記集塵手段を前記本体に設置し固定する固定手段と、
前記集塵手段内に設置可能であり前記吸気ポート及び前記排気ポートと流通するフィルター部材と、
前記フィルター部材が前記集塵手段内に設置されているか否かを確認する移動部材と、
前記ケーシングの開放された上部を覆うように構成されて、前記ケーシングの上部に設置されるカバーと、を具備し、
前記カバーは、
前記ケーシングの開放された上部の形状に一致する平面と、
前記平面の周囲から該平面に対して所定角度で延びる側縁とを備え、
前記カバーが前記ケーシング上に設置されている時前記ケーシングの側縁に前記カバーの側縁が当接するように構成されている、
真空掃除機。
【請求項１９】
真空掃除機であって、
本体の端部に接続される吸引ホースを通じて塵埃を含む空気を受け入れる吸気ポートと前記空気を濾過した後前記空気を本体から排出する排気ポートを含む本体と、
前記空気の前記本体への導入とそれからの排出とを可能にする駆動力を提供するため、前記本体内のある部分に装着される吸引ユニットと、
前記本体の外側から直接前記本体に取り外し可能に装着されるサイクロン集塵手段と、
前記集塵手段内に設置可能であり前記吸気ポート及び前記排気ポートと流通するフィルター部材と、
前記フィルター部材に関連し、前記集塵手段が前記本体に設置されているかまたは阻止されているかに応じて、前記フィルター部材が前記集塵手段内に設置されているか否かを確認する確認片を含む移動部材と、
前記ケーシングの開放された上部を覆うように構成されて、前記ケーシングの上部に設置されるカバーと、を具備し、
前記カバーは、
前記ケーシングの開放された上部の形状に一致する平面と、
前記平面の周囲から該平面に対して所定角度で延びる側縁とを備え、
前記カバーが前記ケーシング上に設置されている時前記ケーシングの側縁に前記カバーの側縁が当接するように構成されている、
真空掃除機。
【発明の詳細な説明】
【０００１】
【発明の属する技術分野】
本発明は、真空掃除機のフィルター装着装置に関し、より詳しくは、吸い込まれる異質物をサイクロン方式により一次集塵後、微細な塵埃を集塵するためのフィルターを具備し、該フィルターを集塵ケーシングの内部に装着しなければ集塵ケーシングを掃除機本体に装着することができないように構成されたフィルター装着装置に関する。
【０００２】
【従来の技術】
図５は、一般の真空掃除機の構成を示した図である。図示のように、真空掃除機は、室内の空気を吸引する吸込み装置が組み込まれている本体１と、前記本体から発生する吸引力によって底面から空気が流入される吸込み部２を含んでいる。
前記本体１は、吸込み装置が設置される下部胴体５と、前記下部胴体５の上部に結合され、真空掃除機を制御する制御部（図示せず）が組み込まれる上部胴体６とから構成される。そして、前記本体１が底面を円滑に移動することができるように本体１の下部には複数の車輪８が本体１の下側面に設置されている。前記車輪８には、吸込み部２を介して吸い込まれた空気から異質物が分離された状態の空気が本体１から吐出される吐出部８ａが形成されている。
【０００３】
また、前記本体１と吸込み部２との間には、フレキシブルな材質で作られる吸込みホース３ｂと、前記吸込みホース３ｂの端部に連結されて使用者が掃除機の操作を行うことができる操作部４と、前記操作部４と吸込み部２とを連結する延長管３ａなどが順次に設置されている。
【０００４】
本体１に組み込まれている吸込み装置に電気的に連結された電線９を通じて電気を印加すると、真空掃除機は運転待ち状態となる。この時、使用者が操作部４のボタンを用いて吸引段階を調節すると、各段階に対応する吸引力が本体に組み込まれている吸込み装置によって発生される。前記吸込み装置により発生された吸引力は、吸込みホース３ｂ及び延長管３ａなどを介して吸込み部２に伝達される。前記吸込み部２の吸引力によって、塵埃などの異質物が含まれた空気を吸引し、吸引された空気中の異質物は、集塵ユニットＡによって濾過される。そして、異質物が濾過された空気は、吐出部８ａを介して本体１の外部に吐出する過程を行いながら清掃を行うことになる。
前記のように、集塵ユニットＡは、吸込み部２を介して吸い込まれる空気中に含まれている異質物を濾過する重要な構成要素である。前記集塵ユニットＡは、下部胴体５と上部胴体６との間に形成された収納空間に装着されるようになっている。
【０００５】
図６は、図５で概略的に説明した集塵ユニットＡを、より詳細に説明するための分解斜視図である。図示のように、集塵ユニットＡは、上部が開口されているケーシング７と、前記ケーシング７の上部を開閉するカバー１１と、また前記カバー１１の下部に装着されるフィルター１２を含んで構成される。
前記フィルター１２は、その上部に形成されている上部面１２ａが、カバー１１の底面に設けられている締付け部１１ａに嵌入されたり締付け部１１ａから取り外したりすることができるように構成される。そして、フィルター１２が着脱できるカバー１１は、上部が開放されている集塵ケーシング７の開放された上部を開閉する。
【０００６】
そして、ケーシング７の後面には取っ手７ｂが成形され、使用者が集塵ケーシング７を把持することができるように構成されている。そして、前記取っ手７ｂの上部には、操作孔７ｇを有するフレーム部７ｆが設けられている。前記フレーム部７ｆの内側空間には操作部材７ｉが設置され、前記操作部材７ｉの操作ボタン７ａは前記操作孔７ｇを介して突出するように嵌挿されている。前記操作ボタン７ａの下部には弾性体７ｓが設置される。従って、前記操作ボタン７ａは、フレーム部７ｆの内部で前記弾性体７ｓにより常に上方に弾性的に支持されている。前記操作部材７ｉの上部は、係止突起７ｃが形成されており、前記係止突起７ｃは、前述のように、掃除機本体１の入口係合部６ｔに弾性的に結合される。
【０００７】
そして、操作部材７ｉがフレーム部７ｆの内部から離脱することを防止するようにカバー７ｄが前記フレーム部７ｆの上部に固定される。
このような構成を有する前記集塵ユニットＡを掃除機本体１に装着するには、その後面に形成されている取っ手７ｂの上部の操作ボタン７ａを下方に押した状態で収納空間に押し込み、操作ボタン７ａを放せば、上部胴体６の入口係合部６ｔに操作部材７ｉの上部の係止突起７ｃが係止され、集塵ユニットＡは本体１に締付けられた状態を維持することになる。
【０００８】
ここで、前記集塵ユニットＡが、掃除機本体１に装着されることは、前記フィルター１２がカバー１１に装着されているか否かとは関係ないことがわかる。即ち、従来のフィルター装着構造によると、フィルター１２がカバー１１に装着されない状態でも、前記カバー１１はケーシング７の上部に装着することができる。従って、使用者の手落ちによって、フィルター１２が装着されていない状態で集塵ユニットＡを真空掃除機の本体に結合することができる。
前記集塵ユニットＡは、入口１１ｃを介して流入する空気を、前記ケーシング７の内部で螺旋流を形成しながら、大きい異質物を下方に落下させるサイクロン方式による一次集塵と、相対的に大きい異物質が残った後、微細な塵埃を前記フィルター１２を介して濾過する二次集塵機能を遂行するものである。
【０００９】
ここで、前記のように、フィルター１２が装着されていなければ、入口１１ｃを介して流入された空気中で、体積が大きい塵埃は螺旋流中で自重により下方に落下して分離板７ｈに落下するが、微細な塵埃は濾過されずに出口１１ｂを介して本体１内部に流入される。従って、実質的に微細な塵埃などが濾過されないという清掃効率上の問題点と、微細な塵埃が掃除機本体の内部を流動することによって内部部品の故障を起こすおそれがある。
そして、従来の構造によると、前記のように、フィルター１２が装着されていない状態において、掃除機が作動するようになっても、これを使用者に報知することができる如何なる装置も備えられていない。
【００１０】
【発明が解決しようとする課題】
本発明は、上記問題点に鑑みなされたものであり、その目的とするところは、微細な塵埃を濾過するフィルターが集塵ユニットのカバーに装着されている状態を確認することができるフィルター装着装置を提供することである。
【００１１】
【課題を解決するための手段】
上記目的を達成するために、本発明に係る真空掃除機のフィルター装着装置は、上部が開放され、その内部でサイクロン方式により一次集塵を行うケーシングと、前記ケーシングの上部を覆うカバーと、前記カバーの下側に結合され、一次集塵後に微細な塵埃を集塵する二次集塵を行う円筒状のフィルターとを備えた真空掃除機のフィルター装着装置において、カバーの底面に着脱可能であり、装着された状態で一定角度に回転できるように構成され、放射状への延び長さが増加するように外周縁の一側に形成された結合片と、前記結合片の外側に形成された締付け溝部を有するフィルターの上面部と、前記カバーの底面に形成され、装着されたフィルターの上面部を一定角度回動可能に支持する支持部と、前記カバーの底面に密着された状態で一定距離を移動可能に設置され、前記結合片が密着収納される結合凹溝と、前記結合凹溝の一側に形成されて前記締付け溝部に係止される係止突部と、前記結合凹溝の反対側で前記カバーの枠部の一側に形成された開放部に突出されるように形成される確認片とを有する移動部材と、前記確認片が開放部に突出されるように弾性的に移動部材を支持する弾性手段とを含み、前記フィルターの上面部が支持部に結合された状態で回転すると、前記結合片が移動部材の内側面を押し出しながら前記確認片がカバーの内部に移動し、前記締付け溝部が係止突部に係止されてその状態を維持することができることを特徴とする。
【００１２】
【実施の形態】
以下、本発明に係る実施例の真空掃除機のフィルター装着装置 を添付図面に基づいて詳細に説明する。
図１は、本発明によるフィルター６０を示した斜視図であり、図２は、前記フィルター６０が締付けられるカバー４０の底面を示した斜視図である。前記フィルター６０は、カバー４０の底面４０ａに着脱可能に設置されるように構成される。図示のように、フィルター６０の上面６０ａの外周縁には、放射状に延びた複数の突出部６２、６４、６６が設けられている。前記それぞれの突出部６２、６４、６６の間には、相対的に凹部６１、６３、６５が形成されている。前記上面６０ａは、平面状態であり、前記突出部６２、６４、６６は平面状態で外側に延長形成されたものである。
【００１３】
そして、前記上面６０ａの一側部分には放射状に延びた結合片６８が形成されており、前記結合片６８は、放射状に延びる時、上面６０ａの中心部分における延長距離が順次に増加するように形成されている。即ち、前記結合片６８は、上面６０ａの外周縁から外側に次第により多く延びるように構成される。そして、前記結合片６８の外周縁の一側には、凹型の締付け溝部６９が形成されている。
一方、前記フィルター６０が締付けられるカバー４０は、前記フィルター６０の上面６０ａが結合されるようにカバー４０の底面に固定されている支持部４５と、前記支持部４５の外郭に締付けられ、フィルター６０の装着状態に従ってその位置が移動される移動部材５０とが設置されている。そして、前記フィルター６０の吐出口６７と一致し、濾過された空気を排出する吐出孔４４が、前記カバー４０の中心部に形成されている。
【００１４】
そして、前記支持部４５は、前記フィルター６０の上面６０ａが着脱可能に設置されている部分である。前記支持部４５は、カバー４０の底面４０ａに固定されるものであり、例えばカバー４０と一体に形成される。即ち、前記支持部４５は、カバー４０の底面４０ａから下方に突出形成されるように構成し、または別のリング状の部材を前記カバー底面４０ａに固定させて形成されるものである。前記支持部４５は、一部が開放された円型を有しており、その内側には、前記突出部６２、６４、６６に対応する複数の係止突起４５ａがカバー底面４０ａと一定の間隔をおいて内側に突出形成されている。従って、前記係止突起４５ａ間の空間部分を介し、フィルター６０の上面６０ａの突出部６２、６４、６６を挿入することができ、このような状態で若干回転させれば、前記係止突起４５ａとカバー底面４０ａとの間に前記突出部６２、６４、６６が嵌合されて締付けられることができる状態となる。
【００１５】
そして、前記係止突起４５ａが形成された支持部４５の一側には、前記突出部６２、６４、６６が当接するようになり、前記フィルター６０が一定の角度以上の回転を防止する回転防止突起４５ｂが形成されている。前記回転防止突起４５ｂは、カバー底面４０ａから下方に突出形成することも可能であり、前記支持部４５の一側面から内側に突出形成することも可能である。
また、前記支持部４５の両側には、外向突出されたリブ４６ａ、４６ｂが形成され、移動部材５０を案内できるように構成される。そして、前記支持部４５の一側には、弾性体Ｓの一側を支持することができる支持片４３ａが形成されている。
【００１６】
そして、前記支持部４５の外側部には、移動部材５０が取り囲むように設置されており、前記移動部材５０は、カバー底面４０ａに密着された状態で支持されながら、矢印で示したＫｂ方向に一定距離移動可能に設置されている。
前記移動部材５０は、全体的に略円型を有するように構成されており、前記支持部４５のリブ４６ａ、４６ｂにより前記カバー底面４０ａに密着された状態を維持できるように構成されている。
前記移動部材５０は、フィルター上面６０ａの結合片６８が収納できるように対応する凹状を有する結合凹溝５２と、前記結合凹溝５２の一側端部に形成され、前記締付け溝部６９に結合するように、内側に突出形成された係止突部５４を備えている。
【００１７】
そして、前記結合凹溝５２の反対側の移動部材５０には、確認片５１が外側に突出形成されている。前記確認片５１は、実質的にカバー４０の下方に形成された枠部４１を突出するように外側に延長されている。前記確認片５１の内側部分には、分離壁５５が形成されており、前記分離壁５５と前記支持部４５の支持片４３ａとの間には、弾性体Ｓが介在されている。そして、前記支持片４３ａは、実質的に前記確認片５１の底面から確認片５１の両側面５１ａの内側に挿入された状態であるので、前記確認片５１のＫｂ方向移動をガイドする役割も共に遂行するようになる。
【００１８】
前記支持片４３ａは、支持部４５と一体に形成される等、固定された支持部４５に固定されている状態であるので、実質的に前記弾性体Ｓは、前記移動部材５０を矢印Ｋａ方向に弾性的に支持するようになる。従って、前記確認片５１は、前記弾性体Ｓの弾性力によって前記枠部４１を突出した状態を維持するようになる。
そして、前記確認片５１は、一定の幅を有する直線状であり、カバー底面４０ａで突出成形されたガイド部４２によって直線移動がガイドされている。前記ガイド部４２は、確認片５１の側面及び底面に密着されるように形成されているので、前記ガイド部４２によって矢印Ｋｂ方向への直線往復運動が円滑に進行されるように支持されている。
【００１９】
前記確認片５１の底面には、ガイド片４３ｂが設置されており、前記ガイド片４３ｂは確認片５１の両側面５１ａの内側部分に当接する状態で設置されるものであって、前記カバー底面４０ａに一体に形成されているものである。前記ガイド片４３ｂの両側面は、前記確認片５１の両側面５１ａの内側部分に当接する状態となるので、後述のように確認片５１が矢印Ｋｂ方向に直線往復運動する時、前記ガイド片４３ｂにより支持される。
次に、本発明によるフィルター装着装置の全体的な動作について詳察する。先ず、フィルター６０の上面６０ａを支持部４５の内側に結合させるようにするが、この時、前記上面６０ａの突出部６２、６４、６６は、支持部４５の係止突起４５ａ間で支持部４５に収納される。そして、フィルター上面６０ａの結合片６８は、移動部材５０の結合凹溝５２の内部に収納される。
【００２０】
前記フィルター６０が結合される前には、前記移動部材５０は弾性体Ｓによって矢印Ｋａ方向に弾性支持されているので、確認片５１はカバー４０の枠部４１を突出した状態となっている。
そして、このように前記フィルター６０の上面６０ａが支持部４５に結合された状態において、フィルター６０を矢印ａ方向に回転させる。フィルター６０の回転に従って、前記結合片６８が結合凹溝５２の外側面５２ａに沿って移動するようになれば、前記移動部材５０は矢印Ｋｂ方向に移動するようになる。このような移動部材５０の移動は、実質的に前記結合片６８の形状に起因するものであって、前記結合片６８の外周縁部分が前記結合凹溝５２の外側面５２ａを矢印Ｋｂ方向に押し出す動作によることである。
【００２１】
前記移動部材５０がＫｂ方向に移動する時、移動部材５０の確認片５１は、ガイド片４３ｂと支持片４３ａとによりその直線移動がガイドされ、これと同時に、前記支持部４５のリブ４６ａ、４６ｂによりカバー底面４０ａに密着される状態でガイドされる。
この過程において、フィルターの上面６０ａの結合片６８に形成されている締付け溝部６９が移動部材５０の係止突部５４に係止されると、前記移動部材５０は完全にＫｂ方向に移動した状態で止まるようになる。このような状態において、前記移動部材５０は弾性体Ｓの弾力により、締付け溝部６９が前記係止突部５４に係止された状態を維持できるようになる。また、このような状態は、前記フィルター６０の突出部６２、６４、６６のいずれかの一側部分が前記回転防止突起４５ｂに係止されるようになり、これ以上の回転が可能ではない状態である。
【００２２】
このような状態を示した図３のように、前記確認片５１は、Ｋｂ方向に完全に移動するようになり、カバー４０の枠部４１の内側に入った状態となる。即ち、前記カバーの底面に構成された移動部材５０の確認片５１は、図２に示したカバーの枠部４１が切開されて形成された開放部４１ａに突出され、フィルター６０が回転して装着されるに従って確認片５１が枠部４１を基準として内側に移動するようになる。
そして、図３に示すように、移動部材５０が完全に内側に移動すると、前記移動部材５０の確認片５１は、カバー４０の底面４０ａに形成されている安着溝４９の底部を開放するようになる。従って、開放された安着溝４９に集塵ケーシング２０の上部２０ａが嵌入されると、カバー４０が集塵ケーシング２０により完全に覆われて、掃除機の本体に形成されている収納空間に締付けることができる適切な高さの集塵ユニットＡが完全に組立られることになる。
【００２３】
移動部材５０のＫｂ方向への移動に従って支持片４３ａと分離壁５５との間に介在されている弾性体ｓは収縮され、フィルター６０がカバー４０から分離されると弾性体ｓの復元力により移動部材５０がＫａ方向に押されながら、確認片５１により安着溝４９が塞がるようになることは当業界の通常の知識を有する者ならば理解し得るであろう。
このようにフィルター６０が装着されない状態において、ケーシングにカバー４０を覆った場合を図４に示した。即ち、フィルター６０が装着されない状態の集塵ケーシングを、掃除機の本体に収納することができないということを示すための断面図である。弾性体ｓによってＫａ方向に弾性的に支持されている初期状態において、移動部材５０の確認片５１は、図示のように、カバー４０の枠部４１に形成されている開放部４１ａを介して外側に突出されている。
【００２４】
前記移動部材５０の確認片５１によりカバー４０の底面に形成されている安着溝４９を塞ぐようになって、集塵ケーシング２０の上部２０ａが挿入されないようになる。従って、フィルター６０を装着しないカバー４０をケーシング２０に結合するようになれば、図３のフィルター６０が装着されたカバー４０を集塵ケーシング２０に覆った場合よりもＧ程度の高さの差が生じるようになる。このような高さの差Ｇによって、集塵ケーシング２０が真空掃除機の収納空間に装着することができなくなる。
【００２５】
以上のように、本発明は微細な塵埃を取り除くフィルターをカバーに正確に締付けなければ、集塵ケーシングが本体に締付けできないように構成することを基本的な技術的思想としていることが分かる。
以上で本発明の好適な実施形態を図示して説明したが、本発明は前記の実施形態に限定されず、以下請求範囲で請求する本発明の要旨を逸脱しない範囲内で、当該発明が属する技術分野で通常の知識を有した者ならば誰しも種々の変更実施が可能であろう。
【００２６】
【発明の効果】
本発明によると、吸入空気から異物質を取り除いて集める集塵ユニットの内部にフィルターが装着されていなければ、集塵ユニットを真空掃除機の本体に結合することができなくなるので、集塵ケーシングにフィルターが装着されない状態で真空掃除機を作動することを前もって防止することができるようになる。従って、フィルターが不完全に装着されたり、未装着された状態における掃除機の駆動による諸問題点を完全に解決できるようになり、実質的に真空掃除機の信頼性をより高めるようになるという効果を有する。また、製品の組立工程においても、フィルターの組立欠落を防止することができる付随的な便利さも期待できる。
【図面の簡単な説明】
【図１】本発明によるフィルターの締付け手段を示す斜視図である。
【図２】本発明によるフィルターの装着のためのカバーを底面から示す斜視図である。
【図３】本発明による真空掃除機のフィルターを装着したカバーが集塵ケーシングに締付けられた状態を示す部分断面図である。
【図４】本発明による真空掃除機のフィルターを装着していないカバーが集塵ケーシングに締付けられた状態を示す部分断面図である。
【図５】従来の一般的な真空掃除機を示す斜視図である。
【図６】従来技術による真空掃除機のフィルター装着状態を示す集塵ケーシングの分解斜視図である。
【符号の説明】
１…本体
５…下部胴体
６…上部胴体
２０…集塵ケーシング
２０ａ…上部
４０…カバー
４１…枠部
４１ａ…開放部
４２…支持突起
４３ａ…支持片
４５…支持部
４５ａ…係止突起
４６ａ、４６ｂ…リブ
５０…移動部材
５１…確認片
５２…結合凹溝
５４…係止突部
６０…フィルター
６１、６３、６５…凹部
６２、６４、６６…突出部
６８…結合片
６９…締付け溝部
Ｇ…高さ
【図１】
0003639250.tif 000002
【図２】
0003639250.tif 000003
【図３】
0003639250.tif 000004
【図４】
0003639250.tif 000005
【図５】
0003639250.tif 000006
【図６】
0003639250.tif 000007